(57)【要約】【課題】小型化を図ることのできる電気掃除機を提供する。【解決手段】一端面に開口面２２ｂを有する断面円形の有底筒状に形成されるとともに周面に気流の流入口２２ａが設けられる集塵容器２２と、開口面２２ｂに配されるフィルタ３７と、フィルタ３７を叩打して除塵する除塵部材３３と、フィルタ３７の下方に配された軸方向に垂直な平面により形成されるとともに除塵部材３３によりフィルタ３７から脱落した塵埃を受ける受け面５０ｂと、受け面５０ｂに開口して下方に延びるとともに集塵容器２２と同軸に配されて集塵容器２２から流出する気流の流出口５１ａが周面に設けられる内筒５１と、受け面５０ｂ上を回転摺動して塵埃を内筒５１に導く渦巻状に形成された可撓性の摺動部材５３とを備えた。【選択図】図５
2012050665.tif 000002
【特許請求の範囲】
【請求項１】
一端面に開口面を有する断面円形の有底筒状に形成されるとともに周面に気流の流入口が設けられる集塵容器と、前記開口面に配されるフィルタと、前記フィルタを叩打して除塵する除塵部材と、前記フィルタの下方に配された軸方向に垂直な平面により形成されるとともに前記除塵部材により前記フィルタから脱落した塵埃を受ける受け面と、前記受け面に開口して下方に延びるとともに前記集塵容器と同軸に配されて前記集塵容器から流出する気流の流出口が周面に設けられる内筒と、前記受け面上を回転摺動して塵埃を前記内筒に導く渦巻状に形成された可撓性の摺動部材とを備えたことを特徴とする電気掃除機。
【請求項２】
前記フィルタを貫通する軸部によって回転自在に支持されるとともに下部に前記摺動部材が設けられる回転体と、前記回転体の上面に配されて前記回転体の回転操作を行うハンドルとを備え、前記回転体の回転によって前記除塵部材と前記フィルタとが衝突するとともに、前記受け面上の塵埃を前記摺動部材の内周側に導く方向に前記ハンドルの回転方向を規制したことを特徴とする請求項１に記載の電気掃除機。
【請求項３】
前記軸部から径方向に延びて前記ハンドルを案内するレール部を備え、前記レール部が前記回転体の回転軸に垂直な中心線に対して外周側が前記ハンドルの回転方向前方に向かって湾曲することを特徴とする請求項２に記載の電気掃除機。
【請求項４】
前記摺動部材の外周端の径と接線との角度を略９０゜にしたことを特徴とする請求項１〜請求項３のいずれかに記載の電気掃除機。
【請求項５】
前記摺動部材の外周端と内周端との間の任意の点の径と接線との角度を４５゜〜９０゜にしたことを特徴とする請求項１〜請求項４のいずれかに記載の電気掃除機。
【請求項６】
前記摺動部材の外周端と内周端との間の中心角を１８０゜以上に形成したことを特徴とする請求項１〜請求項５のいずれかに記載の電気掃除機。
【発明の詳細な説明】
【技術分野】
【０００１】
本発明は、フィルタの除塵装置を備えた電気掃除機に関する。
【背景技術】
【０００２】
従来の電気掃除機は特許文献１に開示されている。この電気掃除機は電動送風機を内装した本体部を備えている。本体部内には電動送風機の前方にサイクロン式の集塵部が配される。集塵部は上面に開口面を有する断面円形の有底筒状の集塵容器を備えている。集塵容器の周面には塵埃を含む気流を周接線方向に流入させる流入口が設けられる。集塵容器内には流入口から流入する空気によって旋回気流が形成される。
【０００３】
集塵容器の上面の開口面には集塵容器に対して着脱自在のフィルタ保持部により保持された平面視円形のフィルタが配される。フィルタ保持部はフィルタの下方を覆う円錐面から成る受け面を有し、受け面から下方に延びる内筒が一体に設けられる。内筒は集塵容器の中心軸上に配され、内筒の周面には集塵容器から気流が流出する流出口が開口する。
【０００４】
フィルタの上方には本体部の外装を形成するカバー部が設けられる。カバー部はフィルタ保持部に対して着脱自在に設けられ、上面に使用者が把持する把持部が設けられる。カバー部の内面にはフィルタと電動送風機との間を連通させる連通路が形成され、カバー部の背面に連通路の端面である集塵部排気口が開口する。
【０００５】
また、フィルタ保持部には除塵装置が設けられる。除塵装置はフィルタと一体に設けられた回転自在の回転体を備え、カバー部にはフィルタの上面よりも下方に突出する可撓性の除塵部材が設けられる。回転体は駆動モータによりフィルタと一体に回転し、除塵部材によりフィルタが叩打される。回転体の下部には受け面上を回転摺動する可撓性の摺動部材が設けられる。
【０００６】
上記構成の電気掃除機において、電動送風機の駆動によって吸込口体から被掃除面上の塵埃が空気とともに吸い込まれる。吸込口体から吸い込まれた空気は延長パイプ及び接続ホースを介して流入口から集塵部の集塵容器内に流入する。集塵容器に流入した空気は集塵容器内で旋回し、遠心力によって大きい塵埃が分離されて集塵容器内に堆積する。
【０００７】
大きい塵埃が除去された気流は流出口を介して内筒内を流通し、フィルタによって細かい塵埃が捕集される。細かい塵埃が除去された気流は連通路を流通し、集塵部排気口を介して集塵部から流出する。集塵部から流出した空気は電動送風機を通過して外部に排気される。これにより、被掃除面の掃除を行うことができる。
【０００８】
集塵部を本体部から脱着してカバー部と一体にフィルタ保持部を集塵容器から脱着すると、集塵容器に堆積した塵埃を廃棄することができる。
【０００９】
また、除塵装置の回転体を回転させると、除塵部材がフィルタを叩打してフィルタに捕集された塵埃が受け面上に脱落する。回転体の回転によって受け面には摺動部材が回転摺動し、円錐面から成る受け面上の塵埃が内筒に滑落する。これにより、フィルタの除塵が行われ、塵埃が内筒を介して集塵容器内に回収される。
【先行技術文献】
【特許文献】
【００１０】
【特許文献１】特開２００９−１１２５０６号公報（第３頁−第１２頁、第２図）
【発明の概要】
【発明が解決しようとする課題】
【００１１】
しかしながら、上記従来の電気掃除機によると、フィルタの下方に配される受け面が塵埃を内筒に滑落させるために円錐面により形成される。このため、集塵部が軸方向に大きくなり、電動送風機の大型化を招く問題があった。
【００１２】
本発明は、小型化を図ることのできる電気掃除機を提供することを目的とする。
【課題を解決するための手段】
【００１３】
上記目的を達成するために本発明は、一端面に開口面を有する断面円形の有底筒状に形成されるとともに周面に気流の流入口が設けられる集塵容器と、前記開口面に配されるフィルタと、前記フィルタを叩打して除塵する除塵部材と、前記フィルタの下方に配された軸方向に垂直な平面により形成されるとともに前記除塵部材により前記フィルタから脱落した塵埃を受ける受け面と、前記受け面に開口して下方に延びるとともに前記集塵容器と同軸に配されて前記集塵容器から流出する気流の流出口が周面に設けられる内筒と、前記受け面上を回転摺動して塵埃を前記内筒に導く渦巻状に形成された可撓性の摺動部材とを備えたことを特徴としている。
【００１４】
この構成によると、電動送風機の駆動によって流入口から塵埃を含む気流が集塵容器に流入し、内筒に設けた流出口を介して流出する。これにより、大きな塵埃が集塵容器内に堆積する。内筒を流通する気流は開口面に配されたフィルタにより細かい塵埃が捕集される。フィルタを通過した気流は電動送風機を通過して排気される。所定の操作によって除塵部材がフィルタを叩打するとフィルタが除塵され、フィルタに捕集された塵埃が平面から成る受け面上に脱落する。渦巻状の摺動部材は受け面上を回転摺動し、受け面に脱落した塵埃が内周側に配される内筒に導かれて集塵容器に回収される。
【００１５】
また本発明は、上記構成の電気掃除機において、前記フィルタを貫通する軸部によって回転自在に支持されるとともに下部に前記摺動部材が設けられる回転体と、前記回転体の上面に配されて前記回転体の回転操作を行うハンドルとを備え、前記回転体の回転によって前記除塵部材と前記フィルタとが衝突するとともに、前記受け面上の塵埃を前記摺動部材の内周側に導く方向に前記ハンドルの回転方向を規制したことを特徴としている。
【００１６】
この構成によると、ハンドルの操作によって回転体が回転して除塵部材がフィルタを叩打するとともに、摺動部材が受け面上を回転摺動する。受け面に摺動する摺動部材の内周側に塵埃を導く方向に回転体が回転するようにハンドルの回転方向が一方向に規制される。尚、フィルタが回転体と一体回転して除塵部材に衝突してもよく、除塵部材が回転体と一体回転してフィルタに衝突してもよい。
【００１７】
また本発明は、上記構成の電気掃除機において、前記軸部から径方向に延びて前記ハンドルを案内するレール部を備え、前記レール部が前記回転体の回転軸に垂直な中心線に対して外周側が前記ハンドルの回転方向前方に向かって湾曲することを特徴としている。
【００１８】
この構成によると、ハンドルはレール部の案内によって軸部から離れた位置に移動し、回転体を回転させる。この時、ハンドルは湾曲したレール部の曲率中心が配される側に周方向の荷重が加えられて回転体を回転させ、ハンドルの内周側への移動が抑制される。
【００１９】
また本発明は、上記構成の電気掃除機において、前記摺動部材の外周端の径と接線との角度を略９０゜にしたことを特徴としている。
【００２０】
また本発明は、上記構成の電気掃除機において、前記摺動部材の外周端と内周端との間の任意の点の径と接線との角度を４５゜〜９０゜にしたことを特徴としている。
【００２１】
また本発明は、上記構成の電気掃除機において、前記摺動部材の外周端と内周端との間の中心角を１８０゜以上に形成したことを特徴としている。
【発明の効果】
【００２２】
本発明によると、フィルタの下方に配した受け面を軸方向に垂直な平面により形成し、受け面上を回転摺動する可撓性の摺動部材が塵埃を内筒に導く渦巻状に形成されるので、集塵部を軸方向に小さくしてフィルタから脱落した塵埃を集塵容器に回収することができる。従って、電気掃除機の小型化を図ることができる。
【図面の簡単な説明】
【００２３】
【図１】本発明の実施形態の電気掃除機を示す斜視図
【図２】本発明の実施形態の電気掃除機の本体部を示す側面断面図
【図３】本発明の実施形態の電気掃除機の本体部の集塵部を脱着した状態を示す側面断面図
【図４】本発明の実施形態の電気掃除機の集塵部を示す斜視図
【図５】本発明の実施形態の電気掃除機の集塵部を示す側面断面図
【図６】本発明の実施形態の電気掃除機の集塵部のカバー部を開いた状態を示す斜視図
【図７】本発明の実施形態の電気掃除機の除塵装置の回転体のハンドルを軸部に重なる位置に配した状態を示す上面図
【図８】本発明の実施形態の電気掃除機の除塵装置の回転体のハンドルを軸部から離れた位置に配した状態を示す上面図
【図９】本発明の実施形態の電気掃除機の摺動部材を示す上面図
【発明を実施するための形態】
【００２４】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２５】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させる。
【００２６】
図２は本体部２の側面断面図を示している。本体部２は本体カバー１０により覆われ、後部に電動送風機６が配される。本体カバー１０の前面には接続ホース３（図１参照）を接続する接続口１０ａが開口し、背面には排気口１０ｂが開口する。電動送風機６の前方には集塵室１９（図３参照）が設けられ、集塵室１９内にはサイクロン式の集塵部２０が配される。詳細を後述するように集塵部２０の集塵容器２２は透明樹脂から成り、集塵容器２２内を視認できる窓部１０ｃが本体カバー１０に設けられる。
【００２７】
集塵部２０は接続口１０ａに連通する流入口２２ａ及び塵埃を除去した気流が流出する集塵部排気口４２ａが設けられる。集塵部排気口４２ａと電動送風機６との間はダクト１５により連結される。
【００２８】
集塵部２０の上部には本体カバー１０に連続して本体部２の外装を形成するカバー部４０が配される。カバー部４０の上面には後部で枢支される回動自在の把持部４１が設けられ、カバー部４０の上部後方には本体カバー１０に係合する係合部４３が設けられる。係合部４３は把持部４１の回動によって前後に進退する。
【００２９】
本体カバー１０にカバー部４０の前部を掛けて後方の係合部４３を係合させることによって集塵部２０が本体部２に装着される。把持部４１の先端を引き上げると係合部４３が前進して本体カバー１０との係合を解除され、図３に示すように集塵部２０を本体部２から上方に脱着することができる。これにより、集塵部２０で集塵した塵埃を廃棄することができる。
【００３０】
図４、図５は集塵部２０の斜視図及び側面断面図を示している。集塵部２０はカバー部４０、フィルタ保持部５０及び集塵容器２２を有している。集塵容器２２は透明樹脂から成り、上面に開口面２２ｂを有した断面略円形の有底筒状に形成される。集塵容器２２の前部の周面には接続口１０ａ（図２参照）に連通して接続ホース３（図１参照）からの気流が流入する流入口２２ａが設けられる。
【００３１】
集塵容器２２には流入口２２ａを介して周接線方向に気流が流入し、集塵容器２２内に旋回気流が形成される。これにより、サイクロン式の集塵装置が形成され、気流に含まれる塵埃を遠心力により分離する。また、集塵容器２２の後部の周面には水平軸で回動自在のクリップ２３が設けられる。
【００３２】
フィルタ保持部５０は平面視円形のフィルタ３７を保持する。フィルタ３７はプリーツフィルタから成り、軸方向に垂直な方向に山部と谷部とが連続するように折り曲げて形成される。これにより、フィルタ３７は広い捕集面積を有し、集塵容器２２の開口面２２ｂを覆って塵埃を捕集する。
【００３３】
フィルタ保持部５０は平面視円形のフィルタ３７の周面に沿う環状部５０ａを有し、集塵容器２２に対して着脱自在に設けられる。集塵容器２２にフィルタ保持部５０の前部を掛けてクリップ２３をフィルタ保持部５０の背面に係合させると、フィルタ保持部５０が集塵容器２２に装着される。クリップ２３を回動してフィルタ保持部５０との係合を解除すると、集塵容器２２からフィルタ保持部５０を脱着することができる。
【００３４】
フィルタ保持部５０にはフィルタ３７の下方に配された受け面５０ｂが設けられる。受け面５０ｂは軸方向に垂直な平面により形成され、中央に開口する開口部５０ｃ（図９参照）の周縁から下方に延びる内筒５１が設けられる。内筒５１は集塵容器２２と同軸に配され、周面に集塵容器２２から流出する気流の流出口５１ａが設けられる。また、フィルタ保持部５０には後述するように、フィルタ３７により捕集した塵埃を除塵する除塵装置３０（図６参照）が設けられる。
【００３５】
カバー部４０の上面は前方が下がる傾斜面に形成され、カバー部４０の内部にはフィルタ３７とダクト１５（図２参照）とを連通させる連通路４２が形成される。カバー部４０の背面には連通路４２の端面である集塵部排気口４２ａが開口する。カバー部４０は背面に設けたヒンジ部６０によってフィルタ保持部５０に枢支され、フィルタ３７の上方を開閉する。
【００３６】
図６は集塵部２０のカバー部４０を開いた状態を示す斜視図である。カバー部４０の前部の下面にはフック４６及び押圧部材４５が設けられる。フック４６はカバー部４０と一体に設けられ、周方向に弾性変形可能に形成される。押圧部材４５はカバー部４０の下面から突出して上下移動可能に設けられ、下方に付勢される。
【００３７】
フィルタ保持部５０の環状部５０ａにはヒンジ部６０に対して径方向に対向した前部に当接部５４及びロック部材５２が設けられる。当接部５４は押圧部材４５が当接し、押圧部材４５の付勢力によって押圧される。ロック部材５２は周方向に可動に設けられ、圧縮バネ（不図示）によって一方向（矢印Ｅ１方向）に付勢される。ロック部材５２はフック４６が係合してカバー部４０とフィルタ保持部５０との閉止状態をロックする。
【００３８】
ロック部材５２を付勢力に抗して他方向（矢印Ｅ２方向）に移動させると、ロック部材５２とフック４６との係合が解除される。これにより、カバー部４０とフィルタ保持部５０との閉止状態が解除される。この時、押圧部材４５は圧縮バネ（不図示）の付勢力によって当接部５４を押圧し、カバー部４０の前部がポップアップして所定量持ち上げられる。これにより、把持部４１（図３参照）やカバー部４０の前部を把持してカバー部４０を容易に開くことができる。
【００３９】
フィルタ保持部５０にはフィルタ３７を除塵する除塵装置３０が設けられる。除塵装置３０は平面視円形の樹脂成形品から成る回転体３１を備えている。回転体３１は下方に延びるシャフト３１ｄ（図５参照）を有した軸部３１ｂが中心部に設けられる。シャフト３１ｄがフィルタ３７を貫通する嵌合孔３７ａ（図５参照）に嵌合し、軸部３１ｂを介して回転体３１がフィルタ３７に対して回転自在に支持される。
【００４０】
回転体３１にはフィルタ３７の周縁の上方に配される円形の環状部３１ｃが設けられる。環状部３１ｃは軸部３１ｂから放射状に延びる複数の腕部３１ａにより支持され、各腕部３１ａ間は開口して気流が流通する。
【００４１】
また、回転体３１の軸部３１ｂと環状部３１ｃとの間には回転軸に垂直な中心線Ｃ（図７参照）に対して湾曲したレール部３１ｅが形成される。レール部３１ｅにはハンドル３４の下部に設けた係合部３４ａが係合し、ハンドル３４がレール部３１ｅに対して回転自在に保持される。ハンドル３４は係合部３４ａから上方に突出して使用者の手指により摘持される突出部３４ｂが設けられる。突出部３４ｂを摘持してハンドル３４がレール部３１ｅの案内によって回転体３１の径方向に移動可能になっている。
【００４２】
図７は回転体３１の上面図を示している。同図に示すように、ハンドル３４を軸部３１ｂに重なる位置に配置すると、各腕部３１ａ間の開口部からハンドル３４が退避する。これにより、フィルタ３７を通過する気流のハンドル３４による遮蔽が回避される。従って、電気掃除機１の吸引力の低下を防止することができる。
【００４３】
また、図８に示すように、ハンドル３４を回転体３１の周部に移動して軸部３１ｂから離れた位置に配置すると、突出部３４ｂを摘持して回転体３１を回転させることができる。この時、ハンドル３４は湾曲したレール部３１ｅの曲率中心が配される側に周方向の荷重Ｆが加えられ、回転体３１を図中、時計回り（矢印Ｇ方向）に回転させる。これにより、荷重Ｆの分力がレール部３１ｅの外周側に向くため、ハンドル３４の内周側への移動を抑制して回転体３１を容易に回転させることができる。
【００４４】
回転体３１を図中、反時計回りに回転させると、ハンドル３４の荷重の分力がレール部３１ｅの内周側に向く。これにより、ハンドル３４が内周側に移動して回転体３１を容易に回転させることができない。従って、湾曲したレール部３１ｅによって回転体３１の図中、反時計回りの回転を規制する回転規制部が構成される。この時、レール部３１ｅは外周側がハンドル３４の回転方向前方に向かって湾曲する。尚、回転体３１を図中、反時計回りに回転できないようにするストッパを設けてもよい。
【００４５】
前述の図５において、シャフト３１ｄの下部にはフィルタ３７の下方に配される支持部材３１ｆが一体に設けられる。支持部材３１ｆの上面にはフィルタ３７の山部間に延びる可撓性の除塵部材３３が取り付けられる。また、支持部材３１ｆの下面にはゴムや軟質樹脂等から成る可撓性の摺動部材５３が設けられる。摺動部材５３は回転体３１と一体に回転して受け面５０ｂ上を回転摺動する。
【００４６】
カバー部４０を開くとハンドル３４が露出し、ハンドル３４の突出部３４ｂを摘持して回転体３１を回転させるとフィルタ３７が除塵部材３３により叩打される。これにより、フィルタ３７に捕集された塵埃が受け面５０ｂ上に脱落し、フィルタ３７の除塵を行うことができる。
【００４７】
尚、除塵部材３３をフィルタ３７の上方に配置してもよい。この時、回転体３１の軸部３１ｂに嵌合孔を形成し、嵌合孔に嵌合するシャフトをフィルタ３７に設けてもよい。
【００４８】
図９は摺動部材５３の上面図を示している。摺動部材５３は回転中心から延びる動径Ｂの長さが最大時からの中心角θに対して徐々に短縮された渦巻状に形成される。摺動部材５３の外周端（動径Ｂの最大時）は受け面５０ｂの外周縁に配され、内周端（動径Ｂの最小時）は内筒５２の内側に配される。
【００４９】
本実施形態では摺動部材５３は回転中心に対して偏心した２つの円弧５３ａ、５３ｂを連結し、動径Ｂの最大時からの中心角θが１８０゜以上に形成される。円弧５３ａは中心角θが０゜〜１８０゜の範囲に半円状に形成され、円弧５３ｂは中心角θが１８０゜〜２７０゜の範囲に形成される。
【００５０】
円弧５３ａ、５３ｂの半径をｒ、偏心量をａとし、摺動部材５３上の任意の点の径と接線との角度（動径Ｂと接線Ｄとの角度）をαとすると、式（１）の関係がある。これにより、角度αは式（２）で表わされる。
【００５１】
ａ・｜ｓｉｎθ｜＝ｒ・ｃｏｓα  ・・・（１）
α＝ａｒｃｃｏｓ（ａ／ｒ・｜ｓｉｎθ｜）  ・・・（２）
【００５２】
本実施形態は受け面５０ｂの半径を５０ｍｍ、円弧５３ａの半径ｒ＝４０ｍｍ、円弧５３ａの偏心量ａ＝１０ｍｍ、円弧５３ｂの半径ｒ＝２０ｍｍ、円弧５３ｂの偏心量ａ＝１０ｍｍに形成している。この時、円弧５３ａにおける角度αの最大値は９０゜（θ＝０゜）であり、最小値は７５．５゜（θ＝９０゜）である。また、円弧５３ｂにおける角度αの最大値は９０゜（θ＝１８０゜）であり、最小値は６０゜（θ＝２７０゜）である。即ち、摺動部材５３の外周端と内周端との間の任意の点の角度αは６０゜〜９０゜に形成される。
【００５３】
上記構成の電気掃除機１において、電動送風機６の駆動によって吸込口体５から床面の塵埃が吸い込まれ、延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００５４】
大きな塵埃が除去された気流は流出口５１ａから内筒５１内に流出して上昇し、フィルタ３７により細かい塵埃が捕集される。フィルタ３７を通過した気流は集塵部排気口４２ａを介して集塵部２０から流出する。集塵部２０から流出した気流はダクト１５を流通し、電動送風機６を介して排気口１０ｂから排気される。
【００５５】
把持部４１を引き上げると係合部４３と本体カバー１０との係合が解除され、集塵部２０が集塵室１９から脱着される。クリップ２３の回動によってフィルタ保持部５０がカバー部４０と一体に集塵容器２２から脱着されると、集塵容器２２内の塵埃が廃棄される。ロック部材５２の操作によってカバー部４０を開くとフィルタ３７及びハンドル３４が露出する。これにより、フィルタ３７の水洗い等の清掃やフィルタ３７の除塵を行うことができる。
【００５６】
フィルタ３７の除塵時にはハンドル３４によって回転体３１が矢印Ｇ方向（図８参照）に回転し、フィルタ３７から受け面５０ｂ上に塵埃が脱落する。受け面５０ｂ上の塵埃は回転する摺動部材５３に沿って内周側に案内され、内筒５１を介して集塵容器２２に回収される。
【００５７】
本実施形態では前述した形状の摺動部材５３によって受け面５０ｂ上に塵埃を残存させずに集塵容器２２に回収されることが確認された。この時、摺動部材５３の外周端の角度αを９０゜に形成しているので、受け面５０ｂの周縁に配された塵埃を円滑に摺動部材５３の内側に案内することができる。摺動部材５３の外周端の角度αは略９０゜であれば同様の効果が得られる。
【００５８】
また、摺動部材５３の外周端と内周端との間の任意の点の角度αを６０゜〜９０゜に形成しているので、受け面５０ｂ上の塵埃を円滑に摺動部材５３に沿って案内することができる。尚、摺動部材５３の外周端と内周端との間の任意の点の角度αが４５゜以上であれば回転方向に対して摺動部材５３の傾斜が十分大きく、塵埃を円滑に摺動部材５３に沿って案内することができる。
【００５９】
本実施形態によると、フィルタ３７の下方に配した受け面５０ｂを軸方向に垂直な平面により形成し、受け面５０ｂ上を回転摺動する可撓性の摺動部材５３が塵埃を内筒５１に導く渦巻状に形成されるので、集塵部２０を軸方向に小さくしてフィルタ３７から脱落した塵埃を集塵容器２２に回収することができる。従って、電気掃除機１の小型化を図ることができる。
【００６０】
また、上面にハンドル３４を有して下部に摺動部材５３を保持する回転体３１がフィルタ３７を貫通する軸部３１ｂによって回転自在に支持され、回転体３１の回転によって除塵部材３３とフィルタ３７とが衝突するので、ハンドル３４の操作によりフィルタ３７の除塵と塵埃の集塵容器２２への回収を同時に行うことができる。また、ハンドル３４の回転方向が規制されるので受け面５０ｂ上の塵埃を確実に集塵容器２２に回収することができる。尚、除塵部材３３をカバー部４０またはフィルタ保持部５０に固定し、フィルタ３７及び摺動部材５３が回転体３１と一体に回転してもよい。
【００６１】
また、軸部３１ｂから径方向に延びてハンドル３４を案内するレール部３１ｅを備え、レール部３１ｅが回転体３１の回転軸に垂直な中心線Ｃに対して外周側がハンドル３４の回転方向前方に向かって湾曲するので、ハンドル３４の回転方向を容易に規制することができる。
【００６２】
また、摺動部材５３の外周端の径（動径Ｂ）と接線Ｄとの角度αを略９０゜にすることにより、受け面５０ｂの周縁に配された塵埃を円滑に摺動部材５３の内側に案内することができる。
【００６３】
また、摺動部材５３は外周端と内周端との間の任意の点の径（動径Ｂ）と接線Ｄとの角度αを４５゜〜９０゜にすることにより、受け面５０ｂ上の塵埃を円滑に摺動部材５３に沿って案内することができる。
【００６４】
尚、式（３）に示すように、摺動部材５３を動径Ｂの長さ（Ｒ）を中心角θに対して線型に形成すると、角度αが常に９０゜になるのでより望ましい。
【００６５】
Ｒ＝ｋ＋ｊθ  （ｋ、ｊは定数）  ・・・（３）
【００６６】
また、摺動部材５３の外周端と内周端との間の中心角を１８０゜以上に形成したので、摺動部材５３が急激に曲げられない。これにより、摺動部材５３の任意の点の角度αを容易に大きく形成して内筒５１まで塵埃を導くことができる。
【００６７】
本実施形態において、ハンドル３４を回転体３１の軸部３１ｂの方向に付勢する付勢手段を設けるとより望ましい。これにより、フィルタ３７の除塵が完了してハンドル３４から手指を離すと、ハンドル３４が付勢手段の付勢によって軸部３１ｂに重なる位置に配される。従って、ハンドル３４による気流の遮蔽をより確実に防止することができる。
【００６８】
また、ハンドル３４の突出部３４ｂを係合部３４ａに対して傾倒自在に形成してもよい。これにより、フィルタ３７の除塵が完了すると突出部３４ｂを傾倒してハンドル３４の高さを低くすることができ、集塵部２０及び電気掃除機１のより小型化を図ることができる。
【００６９】
また、電気掃除機１が電動送風機６を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００７０】
本発明によると、フィルタの除塵装置を備えた電気掃除機に利用することができる。
【符号の説明】
【００７１】
１    電気掃除機
２    本体部
３    接続ホース
４    延長パイプ
５    吸込口体
６    電動送風機
１０    本体カバー
１３    パイプ把持部
１４    操作部
１５    ダクト
１９    集塵室
２０    集塵部
２２    集塵容器
２２ａ  流入口
２２ｂ  開口面
２３    クリップ
３０    除塵装置
３１    回転体
３１ｂ  軸部
３１ｄ  シャフト
３１ｅ  レール部
３３    除塵部材
３４    ハンドル
３４ａ  係合部
３４ｂ  突出部
３７    フィルタ
３７ａ  嵌合孔
４０    カバー部
４１    把持部
４２    連通路
４２ａ  集塵部排気口
４３    係合部
４５    押圧部材
４６    フック
５０    フィルタ保持部
５０ｂ  受け面
５１    内筒
５１ａ  流出口
５２    ロック部材
５３    摺動部材
５４    当接部
６０    ヒンジ部
【図１】
2012050665.tif 000003
【図２】
2012050665.tif 000004
【図３】
2012050665.tif 000005
【図４】
2012050665.tif 000006
【図５】
2012050665.tif 000007
【図６】
2012050665.tif 000008
【図７】
2012050665.tif 000009
【図８】
2012050665.tif 000010
【図９】
2012050665.tif 000011